(57)【要約】      （修正有）【課題】蓋部材の第１蓋と第２蓋の開閉方向のガイド部を共通化することで、蓋部材の幅方向の小型化を実現する。【解決手段】電子機器は、機器本体に対して記録メディア２０ｂを挿抜可能に装着するための開口部が形成された外装部材２９と、前記開口部を開閉可能に覆う蓋部材２１ｂ，２２ｂとを備え、蓋部材は、外装部材２９に対して前記開口部を開閉する方向に摺動可能に案内される第１蓋２１ｂと第２蓋２２ｂから構成され、蓋部材の開き状態では、第１蓋と第２蓋が記録メディアの挿抜方向から見て互いに重なるように配置されて機器本体に対する記録メディアの挿抜を可能にし、蓋部材の閉じ状態では、第１蓋と第２蓋が互いに開閉方向にずれるように閉じ方向に摺動して前記開口部を覆うように構成される。外装部材２９には、第１蓋、第２蓋が開閉方向に摺動する際に、第１蓋、第２蓋を開閉方向に案内する共通のガイド部が設けられている。【選択図】図３
2018163211.tif 000002
【特許請求の範囲】
【請求項１】
機器本体に対して記録メディアを挿抜可能に装着するための開口部が形成された外装部材と、前記開口部を開閉可能に覆う蓋部材と、を備え、前記蓋部材は、前記外装部材に対して前記開口部を開閉する方向に摺動可能に案内される第１蓋と第２蓋とから構成され、前記蓋部材の開き状態では、前記第１蓋と前記第２蓋とが前記記録メディアの挿抜方向から見て互いに重なるように配置されて前記機器本体に対する前記記録メディアの挿抜を可能にし、前記蓋部材の閉じ状態では、前記第１蓋と前記第２蓋とが互いに開閉方向にずれるように閉じ方向に摺動して前記開口部を覆う電子機器であって、
前記外装部材には、前記第１蓋および前記第２蓋が開閉方向に摺動する際に、前記第１蓋および前記第２蓋を開閉方向に案内する共通のガイド部が設けられていることを特徴とする電子機器。
【請求項２】
前記第１蓋は、前記外装部材の外観側に配置され、前記第２蓋は、前記第１蓋の裏面側に配置されることを特徴とする請求項１に記載の電子機器。
【請求項３】
前記第２蓋は、前記蓋部材の閉じ状態で前記第１蓋より閉じ位置の側に配置されることを特徴とする請求項１又は２に記載の電子機器。
【請求項４】
前記第２蓋には、透明エリアが設けられていることを特徴とする請求項３に記載の電子機器。
【請求項５】
前記蓋部材の閉じ位置で前記開口部を覆わない前記第２蓋の幅方向の両側の領域における開閉方向の開き方向の端部には、前記蓋部材の開き位置で前記第１蓋に対して開き方向に当接する第１当接部が閉じ方向に切り欠いて形成され、前記開閉方向の閉じ方向の端部には、前記蓋部材の閉じ位置で前記第１蓋に対して閉じ方向に当接する第２当接部が開き方向に切り欠いて形成されていることを特徴とする請求項３又は４に記載の電子機器。
【請求項６】
前記蓋部材の開き状態で前記第１蓋および前記第２蓋を開き方向に付勢し、前記蓋部材の閉じ状態で前記第１蓋および前記第２蓋を閉じ方向に付勢する反転バネと、
前記第２蓋に設けられ、前記蓋部材の開閉状態を検出する検出部とを備えることを特徴とする請求項１乃至５のいずれか一項に記載の電子機器。
【請求項７】
前記開口部を開閉可能に覆う前記蓋部材が互いに平行に２つ配置され、
前記２つの前記蓋部材のうち、一方の前記蓋部材の前記第２蓋に設けられた前記反転バネの取り付け部および前記検出部は、他方の前記蓋部材の前記第２蓋の幅方向の一側部と前記記録メディアの挿抜方向から見て重なるように配置されることを特徴とする請求項６に記載の電子機器。
【請求項８】
基板に実装された２つの発光素子と、前記２つの前記発光素子の間で前記基板に実装されたスイッチと、前記２つの前記発光素子をそれぞれ覆い、前記外装部材の前記２つの前記開口部の近傍に露出する２つの導光部材と、前記２つの前記導光部材の間で前記２つの前記開口部の間の近傍に露出して設けられ、押し操作が可能な操作部と、前記操作部と前記スイッチとの間に設けられた弾性部材とを備え、
前記弾性部材は、前記導光部材に比べて光透過性の低い材料で形成されていることを特徴とする請求項７に記載の電子機器。
【発明の詳細な説明】
【技術分野】
【０００１】
本発明は、電子機器に関する。
【背景技術】
【０００２】
デジタルビデオカメラ等の電子機器では、映像や音声の記録にメモリカード等の記録メディアが挿抜可能に装着されるものが多い。このような電子機器では、挿抜可能に装着された記録メディアを外部から保護したり、記録メディアが不用意に飛び出したりすることを防止するための蓋部材を開閉可能に設けたものがある。
【０００３】
従来、電子機器に挿抜可能に装着された記録メディアを二枚一組の内側蓋と外側蓋とからなる蓋部材によって開閉可能に覆う技術が提案されている（特許文献１）。この提案では、蓋部材の開き状態において、外側蓋と内側蓋とを記録メディアの挿抜方向から見て互いに重なるように収納して記録メディアの挿抜を可能にしている。また、蓋部材の閉じ状態では、外側蓋と内側蓋とを互いに開閉方向にずらして記録メディア全体を覆うようにし、これにより、一枚構成の蓋部材に比べて開閉方向の小型化を実現している。
【先行技術文献】
【特許文献】
【０００４】
【特許文献１】特開２０１４−２０２８２５号公報
【発明の概要】
【発明が解決しようとする課題】
【０００５】
しかし、上記特許文献１では、蓋部材の内側蓋の幅方向両側を開閉方向に案内するガイド部を外装部材に設け、外側蓋の幅方向の両側を開閉方向に案内するガイド部を内側蓋に設けている。このため、それぞれのガイド部が記録メディアの挿抜方向から見て蓋部材の幅方向の異なる位置に配置されて蓋部材ひいては電子機器の大型化を招くことになる。
【０００６】
そこで、本発明は、蓋部材の幅方向の小型化を実現することを目的とする。
【課題を解決するための手段】
【０００７】
上記目的を達成するために、本発明は、機器本体に対して記録メディアを挿抜可能に装着するための開口部が形成された外装部材と、前記開口部を開閉可能に覆う蓋部材と、を備え、前記蓋部材は、前記外装部材に対して前記開口部を開閉する方向に摺動可能に案内される第１蓋と第２蓋とから構成され、前記蓋部材の開き状態では、前記第１蓋と前記第２蓋とが前記記録メディアの挿抜方向から見て互いに重なるように配置されて前記機器本体に対する前記記録メディアの挿抜を可能にし、前記蓋部材の閉じ状態では、前記第１蓋と前記第２蓋とが互いに開閉方向にずれるように閉じ方向に摺動して前記開口部を覆う電子機器であって、前記外装部材には、前記第１蓋および前記第２蓋が開閉方向に摺動する際に、前記第１蓋および前記第２蓋を開閉方向に案内する共通のガイド部が設けられていることを特徴とする。
【発明の効果】
【０００８】
本発明によれば、蓋部材の幅方向の小型化を実現することができる。
【図面の簡単な説明】
【０００９】
【図１】本発明の電子機器の実施形態の一例であるレンズ交換式のデジタルビデオカメラの斜視図である。
【図２】背面カバーユニットの蓋部材の領域を拡大した図である。
【図３】蓋部材に関係する部材の分解斜視図である。
【図４】（ａ）は外装部材及び蓋部材を外装部材の内面側から見た分解斜視図、（ｂ）は押さえ部材及び蓋部材を外装部材の外観側から見た分解斜視図である。
【図５】外装部材、蓋部材及び反転バネを外装部材の内面側から見た図である。
【図６】蓋部材が閉じた状態で蓋部材の開閉状態を検出する検出部と検出スイッチとの位置関係を示す斜視図である。
【図７】蓋部材が閉じた状態を部分的に示す図である。
【図８】発光部及びメディア選択部に関係する部材の分解斜視図である。
【図９】図２のＡ−Ａ線断面図である。
【発明を実施するための形態】
【００１０】
以下、図面を参照して、本発明の実施形態の一例を説明する。
【００１１】
図１（ａ）は本発明の電子機器の実施形態の一例であるレンズ交換式のデジタルビデオカメラを正面側（被写体側）から見た斜視図、図１（ｂ）は図１（ａ）に示すデジタルビデオカメラを背面側から見た斜視図である。なお、本実施形態では、本発明の電子機器として、撮像装置の一例であるデジタルビデオカメラを例示しているが、これに限定されない。
【００１２】
本実施形態のデジタルビデオカメラ（以下、カメラという。）は、図１に示すように、カメラ本体１の正面側に、不図示のレンズユニットが着脱可能に装着されるマウント部２と、マウント部２を覆う正面カバーユニット３とが設けられている。カメラ本体１は、本発明の機器本体の一例に相当する。
【００１３】
カメラ本体１の正面側から見て左側の側部には、左側カバーユニット４が設けられ、左側カバーユニット４には、カメラ本体１内に外気を取り込むための第１吸気口５及び第２吸気口６が設けられている。また、左側カバーユニット４には、撮影時にカメラを把持するための不図示のグリップユニットが着脱可能に取り付けられるグリップ取り付け部７が設けられている。グリップユニットには、撮影の開始／停止を行うキーなどが配置されている。
【００１４】
カメラ本体１の上面部には、上面カバーユニット８が設けられ、上面カバーユニット８には、不図示のハンドルや不図示の表示パネル等を取り付けるための取り付けネジ部９が光軸方向に互いに離間して２箇所設けられている。また、上面カバーユニット８の背面側には、ビューファインダ１０が設けられている。
【００１５】
カメラ本体１の正面側から見て右側の側部には、右側カバーユニット１１が設けられ、右側カバーユニット１１には、右側操作キー１２、及び電源ダイアル１３等が配置されている。右側操作キー１２は、撮影時／再生時に使用するキーであり、それぞれに機能割り振りが可能となっている。機能割り振りの例としては、撮影の開始／停止、ピーキング、撮影画角の部分拡大、ＮＤユニットのフィルタ濃度の切り替え、送風機の回転数の変更などがある。
【００１６】
電源ダイアル１３は、回動操作することにより、カメラの電源のオン／オフの切り替えが可能である。電源オン状態では、レンズユニットを通過して撮像素子に結像した光情報を撮像素子で光電変換し、メイン回路基板により画像データに変換してビューファインダ１０や外部モニタ等に画像を表示することができる。
【００１７】
また、右側カバーユニット１１には、カメラにおけるメインの記録メディア（不図示）を保護する蓋部材１４が開閉可能に設けられている。蓋部材１４の開き状態において、カメラ本体１に対して記録メディアの挿抜が可能となり、記録メディアは、右側カバーユニット１１の面に対して略垂直方向に挿抜される。
【００１８】
また、蓋部材１４の閉じ状態において、カメラ本体１に装着された記録メディアへのアクセスが可能となり、不図示の撮像素子で撮像されてメイン回路基板によりデジタル処理された画像データを記録することができる。また、右側カバーユニット１１には、不図示の送風機により内部の空気を外部へ排出するための排気口１５が設けられ、排気口１５は、カメラの光軸に対し上下略対称に配置されている。
【００１９】
カメラ本体１の背面側には、背面カバーユニット１６が設けられ、背面カバーユニット１６の下段側には、カメラに電源を供給するためのバッテリ４３が着脱可能に収納されるバッテリ室１７が設けられている。背面カバーユニット１６の中段には、メニュー表示及びその操作を行うための背面操作キー１８、入力音声の選択や音量レベルの設定を行うオーディオ操作キー１９が設けられている。
【００２０】
背面カバーユニット１６の中段には、カメラ本体１に対して挿抜可能に装着された記録メディア２０ａ及び記録メディア２０ｂ（図３（ｂ）参照）をそれぞれ開閉可能に覆う蓋部材２１ａ，２２ａ及び蓋部材２１ｂ，２２ｂが設けられている。蓋部材２１ａ，２２ａは、２枚一組の外側蓋２１ａと内側蓋２２ａから構成され、蓋部材２１ｂ，２２ｂは、２枚一組の外側蓋２１ｂと内側蓋２２ｂから構成されている。
【００２１】
内側蓋２２ａ，２２ｂは、それぞれ外側蓋２１ａ，２１ｂの裏面側で外側蓋２１ａ，２１ｂに対して開閉方向に摺動可能に配置されている。外側蓋２１ａ，２１ｂは、本発明の第１蓋の一例に相当し、内側蓋２２ａ，２２ｂは、本発明の第２蓋の一例に相当する。
【００２２】
記録メディア２０ａ，２０ｂは、単独でデータを記録することが可能であり、前述したメインの記録メディアと同時に同じデータを記録することも可能である。また、記録メディア２０ａ，２０ｂに同時にデータを記録することも可能であり、記録する記録メディアの選択をすることもできる。
【００２３】
また、記録メディア２０ａにデータを録画中に、蓋部材２１ｂ，２２ｂを開いて記録メディア２０ｂを入れ替えることや、反対に記録メディア２０ｂにデータを録画中に、蓋部材２１ａ，２２ａを開いて記録メディア２０ａを入れ替えることができる。これにより、記録メディア２０ａと記録メディア２０ｂに交互にデータを記録するリレー記録を実現することができる。
【００２４】
背面カバーユニット１６には、外部インタフェイス２３が設けられている。外部インタフェイス２３は、図中では蓋に覆われて不図示になっているが、内部にＳＤＩ信号を出力するためのＢＮＣコネクタ、映像を出力するＨＤＭＩ(登録商標)コネクタ、電源供給用の電源コネクタ、音声出力用のヘッドフォンコネクタ等が配置されている。また、背面カバーユニット１６には、外気を取り込むための第３吸気口２４が設けられている。
【００２５】
図２は、背面カバーユニット１６の蓋部材２１ａ，２２ａ及び蓋部材２１ｂ，２２ｂの領域を拡大した図である。図２において、蓋部材２１ａ，２２ａは、閉じ状態であり、カメラ本体１に装着された記録メディア２０ａは、蓋部材２１ａ，２２ａにより覆われている。この状態では、蓋部材２１ａ，２２ａの内側蓋２２ａに配置された透明エリア２５ａから記録メディア２０ａを視認することができる。
【００２６】
蓋部材２１ａ，２２ａを開く場合は、内側蓋２２ａの指掛け部２６ａを後述する反転バネ３１ａ（図３（ａ）参照）の付勢力に抗して上方に引き上げる。蓋部材２１ａ，２２ａが開いた状態では、蓋部材２１ａ，２２ａは、反転バネ３１ａの付勢力により開き方向に付勢される。
【００２７】
図２において、蓋部材２１ｂ，２２ｂは、開き状態である。このとき、蓋部材２１ｂ，２２ｂは、記録メディア２０ｂの挿抜方向に記録メディア２０ｂと重ならないように配置され、これにより、記録メディア２０ｂの挿抜が可能となる。カメラ本体１から記録メディア２０ｂを取り出す場合は、記録メディア２０ｂを押すことで、カメラ本体１から記録メディア２０ｂを取り出すことができる。
【００２８】
蓋部材２１ｂ，２２ｂを閉じる場合は、蓋部材２１ｂ，２２ｂの内側蓋２２ｂに設けられた指掛け部２６ｂを後述する反転バネ３１ｂ（図３（ａ）参照）の付勢力に抗して引き下げる。蓋部材２１ｂ，２２ｂを閉じた状態においては、蓋部材２１ｂ，２２ｂは、後述する反転バネ３１ｂの付勢力により閉じ方向に付勢される。メディア選択部２７は、記録メディア２０ａ，２０ｂがそれぞれカメラ本体１に挿入され、蓋部材２１ａ，２２ａ及び蓋部材２１ｂ，２２ｂが閉じ状態のときに押すと、記録メディア２０ａ，２０ｂのどちらを使用するかを選択することができる。
【００２９】
発光部２８ａは、後述するＬＥＤ４２ａ（図８参照）により、記録メディア２０ａがデータの記録可能状態で緑色に点燈し、データの記録状態で赤色に点燈する。同様に、発光部２８ｂは、後述するＬＥＤ４２ｂ（図８参照）により、記録メディア２０ｂがデータの記録可能状態で緑色に点燈し、データの記録状態で赤色に点燈する。
【００３０】
図３（ａ）は蓋部材２１ａ，２２ａ及び蓋部材２１ｂ，２２ｂに関係する部材をカメラ本体１の正面側から見た分解斜視図、図３（ｂ）は図３（ａ）をカメラ本体１の背面側から見た分解斜視図である。図３（ａ）及び図３（ｂ）を参照して、各部材の組み付け方法について説明する。
【００３１】
まず、背面カバーユニット１６の一部を構成する外装部材２９の内面側に対して発光部２８ａ，２８ｂと弾性部材３８が一体化されたメディア選択部２７を基板３９とともに取り付け、基板３９を外装部材２９に締結する。次に、外装部材２９に対して、外側蓋２１ａと外側蓋２１ｂを取り付け、その後、内側蓋２２ａと内側蓋２２ｂを取り付ける。次に、蓋部材２１ａ，２２ａ及び蓋部材２１ｂ，２２ｂを押さえる押さえ部材３０を外装部材２９に取り付ける。
【００３２】
次に、反転バネ３１ａ，３１ｂの一方の端部をそれぞれ押さえ部材３０に取り付け、他方の端部をそれぞれ内側蓋２２ａのバネ取り付け部３２ａ及び内側蓋２２ｂのバネ取り付け部３２ｂに取り付ける。次に、検出スイッチ３３ａ，３３ｂがそれぞれ実装された検出基板３４ａ，３４ｂが取り付けられた基板取り付け部材３５を押さえ部材３０に取り付ける。次に、記録メディア２０ａ，２０ｂをマウントするカード基板３６ａ，３６ｂが取り付けられた基板取り付け部材３７を外装部材２９に取り付ける。これにより、図３に示す各部材の組み付けが完了する。
【００３３】
次に、図４乃至図７を参照して、蓋部材２１ａ，２２ａ及び蓋部材２１ｂ，２２ｂの開閉動作について説明する。
【００３４】
図４（ａ）は外装部材２９及び蓋部材２１ｂ，２２ｂをカメラ本体１の正面側（外装部材２９の内面側）から見た分解斜視図、図４（ｂ）は押さえ部材３０及び蓋部材２１ｂ，２２ｂをカメラ本体１の背面側（外装部材２９の外観側）から見た分解斜視図である。なお、図４では、説明の便宜上、蓋部材２１ａ，２２ａの図示は省略している。図５は、外装部材２９、蓋部材２１ａ，２２ａ、蓋部材２１ｂ，２２ｂ、反転バネ３１ａ，３１ｂをカメラ本体１の正面側（外装部材２９の内面側）から見た図である。なお、図５では、説明の便宜上、押さえ部材３０の図示は省略しており、また、蓋部材２１ｂ，２２ｂは閉じ状態であり、蓋部材２１ａ，２２ａは開き状態である。
【００３５】
図４及び図５を参照して、まず、蓋部材２１ｂ，２２ｂにおける開閉方向（カメラ本体１の上下方向（高さ方向））の閉じ位置での位置規制について説明する。蓋部材２１ｂ，２２ｂのうち、内側蓋２２ｂは、バネ取り付け部３２ｂを介した反転バネ３１ｂの付勢力により閉じ方向に付勢される。このとき、内側蓋２２ｂの当接部１０１ｂが外側蓋２１ｂの当接部１０２ｂと当接して外側蓋２１ｂが閉じ方向に付勢される。
【００３６】
これにより、外側蓋２１ｂの当接部１０３ｂが外装部材２９の当接部１０４に当接し、開閉方向における蓋部材２１ｂ，２２ｂの閉じ位置が規制される。なお、蓋部材２１ａ，２２ａにおける開閉方向の閉じ位置の位置規制についても蓋部材２１ｂ，２２ｂと同様である。
【００３７】
次に、蓋部材２１ａ，２２ａにおける開閉方向の開き位置での位置規制について説明する。蓋部材２１ａ，２２ａのうち、内側蓋２２ａは、バネ取り付け部３２ａを介した反転バネ３１ａの付勢力により開き方向に付勢される。
【００３８】
このとき、内側蓋２２ａの当接部１０５ａが外側蓋２１ａの当接部１０６ａと当接して外側蓋２１ａが開き方向に付勢される。これにより、外側蓋２１ａの当接部１０７ａが外装部材２９の当接部１０８に当接し、開閉方向における蓋部材２１ａ，２２ａの開き位置が規制される。なお、蓋部材２１ｂ，２２ｂにおける開閉方向の開き位置の位置規制についても蓋部材２１ａ，２２ａと同様である。
【００３９】
次に、蓋部材２１ｂ，２２ｂの開閉方向の摺動時におけるカメラ本体１の左右方向（蓋部材２１ｂ，２２ｂの幅方向）及び光軸方向の位置規制について説明する。外側蓋２１ｂの摺動部２０１ｂ（図４（ｂ）参照）は、外装部材２９の摺動部２０２（図４（ａ）参照）に対し外側蓋２１ｂの開閉方向に沿って摺動可能に接し、外側蓋２１ｂの摺動部２０３ｂは、外装部材２９の摺動部２０４に対し開閉方向に摺動可能に接する。外側蓋２１ｂの摺動部２０５ｂ（図４（ｂ）参照）は、外装部材２９の摺動部２０６に対し開閉方向に摺動可能に接し、外側蓋２１ｂの摺動部２０７ｂ（図４（ａ）参照）は、押さえ部材３０の摺動部２０８（図４（ｂ）参照）に対し開閉方向に摺動可能に接する。
【００４０】
蓋部材２２ｂの摺動部２０９ｂは、蓋部材２１ｂに対し開閉方向に摺動可能に接し、内側蓋２２ｂの摺動部２１０ｂ（図４（ａ）参照）は、外装部材２９の摺動部２０４に対し開閉方向に摺動可能に接する。内側蓋２２ｂの摺動部２１１ｂ（図４（ｂ）参照）は、外装部材２９の摺動部２０６に対し開閉方向に摺動可能に接し、内側蓋２２ｂの摺動部２１２ｂ（図４（ａ）参照）は、押さえ部材３０の摺動部２０８（図４（ｂ）参照）に対し開閉方向に摺動可能に接する。
【００４１】
これにより、蓋部材２１ｂ，２２ｂの開閉方向の摺動時におけるカメラ本体１の左右方向（蓋部材２１ｂ，２２ｂの幅方向）及び光軸方向の位置が規制される。なお、蓋部材２１ａ，２２ａの開閉時におけるカメラ本体１の左右方向及び光軸方向の位置規制については、蓋部材２１ｂ，２２ｂと同様である。
【００４２】
このように、本実施形態では、蓋部材２１ｂ，２２ｂ（２１ａ，２２ａ）の開閉方向の摺動時における外側蓋２１ｂ（２１ａ）と内側蓋２２ｂ（２２ａ）の幅方向両側の開閉方向の案内を外装部材２９の共通の摺動部２０４，２０６（ガイド部）で行っている。これにより、外側蓋２１ｂ（２１ａ）と内側蓋２２ｂ（２２ａ）の幅方向両側の開閉方向の案内を個別に行う場合に比べて、蓋部材２１ｂ，２２ｂ（蓋部材２１ａ，２２ａ）を幅方向に小型化することができる。
【００４３】
図５において、破線で囲まれた領域は、蓋部材２１ｂ，２２ｂの閉じ状態において外装部材２９と外側蓋２１ｂが光軸方向の投影上に存在しない開口部４１ｂである。記録メディア２０ｂを保護するために、この開口部４１ｂは、蓋部材２１ｂ，２２ｂの閉じ状態で内側蓋２２ｂにより完全に覆われている。
【００４４】
このとき、内側蓋２２ｂの開閉方向の上端側の当接部１０５ｂ（第１当接部）は、開口部４１ｂの幅方向外側で、開口部４１ｂの上端より下方に切り欠かれて蓋部材２１ｂ，２２ｂの開き状態で外側蓋２１ｂの当接部１０６ｂに当接する。また、内側蓋２２ｂの開閉方向の下端側の当接部１０１ｂ（第２当接部）は、開口部４１ｂの幅方向外側で、開口部４１ｂの下端より上方に切り欠かれて蓋部材２１ｂ，２２ｂの閉じ状態で外側蓋２１ｂの当接部１０２ｂに当接する。
【００４５】
このように、内側蓋２２ｂのうちで開口部４１ｂを覆うのに不要な領域に、当接部１０５ｂ，１０６ｂ及び当接部１０１ｂ，１０２ｂを配置することで蓋部材２１ｂ，２２ｂ（蓋部材２１ａ，２２ａ）を開閉方向に小型化することができる。
【００４６】
図６は、蓋部材２１ｂ,２２ｂが閉じた状態で内側蓋２２ｂの開閉状態を検出する検出部４０ｂと検出スイッチ３３ｂとの位置関係を示す斜視図である。図６に示すように、蓋部材２１ｂ，２２ｂの閉じた状態において、内側蓋２２ｂに設けられた検出部４０ｂが検出基板３４ｂに実装された検出スイッチ３３ｂ（外装部材２９側）に接触する。
【００４７】
これにより、カメラ本体１の不図示の制御部は、蓋部材２１ｂ，２２ｂが閉じ状態であると判断する。検出部４０ｂと検出スイッチ３３ｂが非接触の場合は、カメラ本体１の不図示の制御部は、蓋部材２１ｂ，２２ｂが開き状態であると判断する。この場合は、記録メディア２０ｂにデータを記録することができない。記録メディア２０ａに関しても同様である。
【００４８】
図７は、蓋部材２１ａ，２２ａ及び蓋部材２１ｂ，２２ｂが閉じた状態を部分的に示す図である。図７に示す状態では、内側蓋２２ａのバネ取り付け部３２ａ及び検出部４０ａは、内側蓋２２ｂの幅方向の一側部と光軸方向に重なって配置される。内側蓋２２ａに必要な検出部４０ａ及びバネ取り付け部３２ａを内側蓋２２ｂの幅方向の一側部と光軸方向に重ねて配置することで、内側蓋２２ａを幅方向に小型化することができる。
【００４９】
次に、図８及び図９を参照して、発光部２８ａ，２８ｂ及びメディア選択部２７について説明する。図８（ａ）は発光部２８ａ，２８ｂ及びメディア選択部２７に関係する部材を外装部材２９の外観側から見た分解斜視図、図８（ｂ）は発光部２８ａ，２８ｂ及びメディア選択部２７に関係する部材を外装部材２９の内面側から見た分解斜視図である。
【００５０】
図８（ａ）及び図８（ｂ）に示すように、基板３９に実装された発光素子であるＬＥＤ４２ａ，４２ｂは、それぞれ導光部材からなる発光部２８ａ，２８ｂによって覆われる。基板３９に実装されたスイッチ４２の外装部材２９側には弾性部材３８及びメディア選択部２７が配置されている。発光部２８ａ、２８ｂ及びメディア選択部２７は、外装部材２９の互いに平行配置された２つの開口部の近傍に露出して配置され、メディア選択部２７は、押し操作が可能な操作部である。
【００５１】
図９は、図２のＡ−Ａ線断面図である。図９において、メディア選択部２７が光軸方向に押されると、メディア選択部２７に係合する弾性部材３８が弾性変形し、弾性部材３８とスイッチ４２が接触する。これにより、スイッチ４２が押されたことをカメラ本体１の不図示の制御部が判断する。
【００５２】
このとき、弾性部材３８は、基板３９と外装部材２９に対して弾性変形した状態で接触している。また、弾性部材３８は、メディア選択部２７を外装部材２９に押し付ける方向に付勢する。これにより、メディア選択部２７のガタツキの防止と基板３９の防塵／防滴を実現している。また、弾性部材３８は、導光部材からなる発光部２８ａ，２８ｂに比べて光透過性の低い材料で形成されている。これにより、ＬＥＤ４２ａ，４２ｂで発光した光が発光部２８ｂ，２８ａ側に漏れることを防ぐことができる。
【００５３】
以上説明したように、本実施形態では、蓋部材２１ｂ，２２ｂの開閉方向の摺動時における外側蓋２１ｂと内側蓋２２ｂの幅方向両側の開閉方向の案内を外装部材２９の設けられた共通の摺動部２０４，２０６（ガイド部）で行っている。これにより、外側蓋２１ｂと内側蓋２２ｂの幅方向両側の開閉方向の案内を個別に行う場合に比べて、蓋部材２１ｂ，２２ｂを幅方向に小型化することができる。蓋部材２１ａ，２２ａについても同様である。
【００５４】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５５】
１  カメラ本体
２０ａ，２０ｂ  記録メディア
２９  外装部材
２１ａ，２２ａ  蓋部材
２１ａ  外側蓋
２２ａ  内側蓋
２１ｂ，２２ｂ  蓋部材
２１ｂ  外側蓋
２２ｂ  内側蓋
２０４，２０６  摺動部
【図１】
2018163211.tif 000003
【図２】
2018163211.tif 000004
【図３】
2018163211.tif 000005
【図４】
2018163211.tif 000006
【図５】
2018163211.tif 000007
【図６】
2018163211.tif 000008
【図７】
2018163211.tif 000009
【図８】
2018163211.tif 000010
【図９】
2018163211.tif 000011